(57)【要約】【課題】系統周波数が異なる電力系統間で、誘導機によって電力の融通を行う電力融通装置においては、誘導機の２次巻線の出力制限のためシステムの容量が上げられず、また２次巻線に供給される電力により多数のコレクタリングを必要とし、この保守に係る手間とコストを削減することが要望されている。【解決手段】第１の誘導機の１次巻線が接続される系統の系統周波数の相対的な大きさに応じて第２の誘導機のすべり運転を変えることにより第１の誘導機の２次巻線に流れる電力を低減させる。【選択図】  図１
2004173426.tif 000002
【特許請求の範囲】
【請求項１】
第１の電力系統とこの第１の電力系統と系統周波数の異なる第２の電力系統間に設けられ、１次巻線を前記第１の電力系統に接続し２次巻線を前記第２の電力系統に接続した第１の誘導機と、
前記第１の誘導機の２次巻線を備える回転子と機械的に接続された回転子を有し、１次巻線が前記第１の電力系統に接続され、２次巻線がこの２次巻線に可変周波数電流を供給する静止形電力変換装置を介して前記第２の電力系統に接続され、負のすべりで運転される第２の誘導機を備えることを特徴とする電力融通装置。
【請求項２】
第１の電力系統とこの第１の電力系統と系統周波数の異なる第２の電力系統間に設けられ、１次巻線を前記第２の電力系統に接続し２次巻線を前記第１の電力系統に接続した第１の誘導機と、
前記第１の誘導機の２次巻線を備える回転子と機械的に接続された回転子を有し、１次巻線が前記第１の電力系統に接続され、２次巻線がこの２次巻線に可変周波数電流を供給する静止形電力変換装置を介して前記第２の電力系統に接続され、正のすべりで運転される第２の誘導機を備えることを特徴とする電力融通装置。
【請求項３】
第１の電力系統とこの第１の電力系統と系統周波数の異なる第２の電力系統間に設けられ、１次巻線を前記第１の電力系統に接続し２次巻線を前記第２の電力系統に接続した第１の誘導機と、前記第１の電力系統及び第２の電力系統の一方に１次巻線が接続され、他方に２次巻線がこの２次巻線に可変周波数電流を供給する静止形電力変換装置を介して接続され、回転子を前記第１の誘導機の回転子と機械的に結合された第２の誘導機を備える電力融通装置の運転方法において、
前記第２の誘導機の１次巻線が前記第１の電力系統と接続され、前記第２の誘導機の２次巻線が前記第２の電力系統と接続された場合、前記第２の誘導機を負のすべりで運転し、
前記第２の誘導機の１次巻線が前記第２の電力系統と接続され、前記第２の誘導機の２次巻線が前記第１の電力系統と接続された場合、前記第２の誘導機を正のすべりで運転することを特徴とする電力融通装置の運転方法。
【発明の詳細な説明】
【０００１】
【発明の属する技術分野】
本発明は系統周波数が異なる電力系統間で、誘導機によって電力の融通を行う電力融通装置の運転方法に関する。
【０００２】
【従来の技術】
電力系統において、合理的、能率的な広域計画を進める上で、電力系統を相互に連系して電力の融通を行う電力融通装置は重要なキーコンポーネントである。電力融通を行うことで電源開発の地域的条件に拘束されることなく設備の大容量化が可能になる。また、電力系統を連系し電力を融通し合うことにより、一方の系統で事故が起こった場合でも他方の系統から電力の供給を受けることができ、電力の供給信頼度を高めることができる。さらに、日常の運用においても、余剰電力の相互融通により経済的効果も得られる。
【０００３】
図７は、従来の電力融通装置の基本システムを示す構成図である。図７において１はｆ１なる系統周波数を有する第１の電力系統（以下単に系統と称する）、２は第１の系統と異なる系統周波数ｆ２を有し、第１の系統と連系する第２の系統、３は第１の誘導機で、固定子側を構成する１次巻線３１が第１の系統１に接続され、回転子側を構成する２次巻線３２が第２の系統２にそれぞれ接続されている。４は第２の誘導機で、同じく固定子側を構成する１次巻線４１が第１の系統１に接続され、回転子側を構成する２次巻線４２が第２の系統２にそれぞれ接続されている。
【０００４】
また第２の誘導機４の回転子４Ａは第１の誘導機３の回転子３Ａとギアなどで構成されている変速装置５を介して機械的に結合され、変速装置５は誘導機４の回転速度を増速するように機能する。６は第２の誘導機４の２次巻線４２と第２の系統２との間に接続された静止形電力変換器で、電力融通装置を系統に並入する時、および電力融通運転時に動作して第２の誘導機４の２次巻線４２に可変周波数電流を供給する。
【０００５】
このように構成された電力融通装置は、静止形電力変換器６で第２の誘導機４を二次励磁制御し、回転子４Ａの軸トルクを制御することによって第１の誘導機３の固定子と回転子との電気相差角を制御し、第１の系統１と第２の系統２との間の潮流電力を制御し、電力融通を行うシステムであり、回転機と静止形電力変換装置とを組み合わせただけの簡単な構造で装置の小型化、性能向上を図った電力融通装置である。
【０００６】
一例として第１の系統１の系統周波数ｆ１が６０Ｈｚ、第２の系統２の系統周波数ｆ２が５０Ｈｚで、系統２から系統１に電力を融通する場合を例にとり電力の流れを説明する。
【０００７】
この場合の第１の誘導機３のすべりｓは次の式（１）で与えられる。
2004173426.tif 000003
【０００８】
第１の誘導機３の１次巻線３１の出力をＰ１、第１の誘導機３の２次巻線３２の出力をＰ２とするとＰ２＝ｓＰ１で与えられるのでＰ２はＰ１の約８３％の出力となる。残りの１７％は第２の誘導機４から回転軸を介して機械的に出力が与えられる。
【０００９】
変速装置がないと第２の誘導機４は第１の誘導機３と比較して出力は１７％と小さいが、回転速度も第１の誘導機３の同期速度の１／６と遅いため機械トルクは第１の誘導機３と同等となり機械の寸法も同程度になる。変速装置５を採用することにより第２の誘導機４の出力を一定のまま回転速度を上げ、機械の寸法のコンパクト化を可能にしている（例えば特許文献１，２参照）。
【００１０】
【特許文献１】
特開２００１−１５７４９９号公報（第４頁左欄２行目〜同３３行目、図１）
【特許文献２】
特開２００１−２１１５５０号公報（第２頁右欄２７行目〜第３頁左欄２行目、図１４）
【００１１】
【発明が解決しようとする課題】
通常の回転機の２次巻線は１次巻線と比較しそれほど大きな電力は流れないが、本電力融通装置の第１の誘導機３の２次巻線３２には１次巻線の８３％という大電力が流れる。この電力はコレクタブラシを介して２次巻線３２に供給される。現在、可変速揚水発電所に適用している可変速発電電動機は同様の構造であるが、コレクタブラシに印加できる電圧や流せる電流はコレクタリングの絶縁性能や機械的構造の制約で制限され、２次巻線の出力も制約される。本電力融通装置についても同様に第１の誘導機３の２次巻線３２の出力が制限されるため、システムの容量が上げられないという問題点があった。また、第１の誘導機３の２次巻線３２に大きな電力が流れることからコレクタブラシを多数取り付ける必要があり、このためコレクタブラシの保守が面倒で、手間がかり、保守コストが高くなるという欠点があり、なるべく２次巻線に流れる電力を低減してコレクタブラシの数を少なくし、保守コストを低減させたいという要望があった。
【００１２】
本発明はこのような問題を解決するためになされたもので、第１の誘導機の２次巻線に流れる電力を低減し、システムの容量を増加することができ、コレクタブラシの数を少なくして保守コストを低減した電力融通装置の運転方法を提供することを目的とする。
【００１３】
【課題を解決するための手段】
上記目的を達成するために請求項１に記載の電力融通装置の運転方法の発明は、第１の電力系統とこの第１の電力系統と系統周波数の異なる第２の電力系統間に設けられ、１次巻線を前記第１の電力系統に接続し２次巻線を前記第２の電力系統に接続した第１の誘導機と、前記第１の誘導機の２次巻線を備える回転子と機械的に接続された回転子を有し、１次巻線が前記第１の電力系統に接続され、２次巻線がこの２次巻線に可変周波数電流を供給する静止形電力変換装置を介して前記第２の電力系統に接続され、負のすべりで運転される第２の誘導機を備えることを特徴とする。
【００１４】
そして、この発明によれば、第１の誘導機の２次巻線と第２の誘導機の２次巻線からの出力の向きを同一にできるため、融通される電力が第１の誘導機の２次巻線と第２の誘導機の２次巻線で分担され、第１の誘導機の２次巻線の出力を低減することができる。
【００１５】
また、請求項２に記載の電力融通装置の発明は、第１の電力系統とこの第１の電力系統と系統周波数の異なる第２の電力系統間に設けられ、１次巻線を前記第２の電力系統に接続し２次巻線を前記第１の電力系統に接続した第１の誘導機と、前記第１の誘導機の２次巻線を備える回転子と機械的に接続された回転子を有し、１次巻線が前記第１の電力系統に接続され、２次巻線がこの２次巻線に可変周波数電流を供給する静止形電力変換装置を介して前記第２の電力系統に接続され、正のすべりで運転される第２の誘導機を備えることを特徴とする。
そして、この発明によれば、第２の誘導機の１次巻線の出力を大きくとることができるため、第１の誘導機の２次巻線の出力を低減することができる。
【００１６】
さらに、請求項３に記載の電力融通装置の発明は、第１の電力系統とこの第１の電力系統と系統周波数の異なる第２の電力系統間に設けられ、１次巻線を前記第１の電力系統に接続し２次巻線を前記第２の電力系統に接続した第１の誘導機と、前記第１の電力系統及び第２の電力系統の一方に１次巻線が接続され、他方に２次巻線がこの２次巻線に可変周波数電流を供給する静止形電力変換装置を介して接続され、回転子を前記第１の誘導機の回転子と機械的に結合された第２の誘導機を備える電力融通装置の運転方法において、前記第２の誘導機の１次巻線が前記第１の電力系統と接続され、前記第２の誘導機の２次巻線が前記第２の電力系統と接続された場合、前記第２の誘導機を負のすべりで運転し、前記第２の誘導機の１次巻線が前記第２の電力系統と接続され、前記第２の誘導機の２次巻線が前記第１の電力系統と接続された場合、前記第２の誘導機を正のすべりで運転することを特徴とする。
【００１７】
そして、この発明によれば、第２の誘導機の１次巻線と２次巻線がそれぞれ第１の誘導機の１次巻線及び２次巻線が接続されているのと同じ電力系統に接続されている場合第２の誘導機を負のすべりで運転し、融通される電力を第１の誘導機の２次巻線と第２の誘導機の２次巻線で分担することによって第１の誘導機の２次巻線の出力を低減し、第２の誘導機の１次巻線が第１の誘導機の２次巻線の接続されている電力系統に接続され、第２の誘導機の２次巻線が第１の誘導機の１次巻線の接続されている電力系統に接続されている場合第２の誘導機を正のすべりで運転し、第２の誘導機の１次巻線の出力を大きくとることによって第１の誘導機の２次巻線の出力を低減することが可能となる。
【００１８】
【発明の実施の形態】
以下本発明の実施の形態を図を参照して説明する。図１乃至図３は本発明の第１の実施の形態を説明する電力融通装置の構成図である。
図１において、１はｆ１なる系統周波数を有する第１の系統、２はｆ２なる系統周波数を有し、第１の系統と連系する第２の系統、３は第１の誘導機で、固定子側を構成する１次巻線３１が第１の系統１に接続され、回転子側を構成する２次巻線３２が第２の系統２にそれぞれ接続されている。４は第２の誘導機で、同じく固定子側を構成する１次巻線４１が第１の系統１に接続され、回転子側を構成する２次巻線４２が第２の系統２にそれぞれ接続されている。
【００１９】
また、第２の誘導機４の回転子４Ａは第１の誘導機３の回転子３Ａとギアなどで構成されている変速装置５を介して機械的に結合され、誘導機４の回転速度を増速するように機能する。６は第２の誘導機４の２次巻線４２に可変周波数電流を供給する静止形電力変換器である。
【００２０】
今、図１に示すように融通電力の方向が系統２から系統１に対しての場合、第１の誘導機３の１次巻線３１の出力Ｐ１１は１次巻線３１から第１の系統１の方向へ、第１の誘導機３の２次巻線３２の出力Ｐ１２は第２の系統２から第１の誘導機３の２次巻線３２の方向へ流れる。このため、機械出力Ｐｍは第２の誘導機４から第１の誘導機３に与えられ、第２の誘導機４の１次巻線４１の出力Ｐ２１は第１の系統１から１次巻線４１の方向へ流れる。
【００２１】
この時に、第２の誘導機４を負のすべりで運転する。この運転により、第２の誘導機４の２次巻線４２の出力Ｐ２２は第２の系統２から第２の誘導機４の２次巻線４２の方向へ流れる。そして、電力融通装置は融通電力、すなわちＰ１１−Ｐ２１が一定になるよう制御される。
【００２２】
本実施の形態はこのように第２の誘導機４を負のすべりで運転するものであるが、この理由を以下に示す。
図１に示したように、第２の誘導機４を負のすべりで運転する場合、誘導機３、４のそれぞれの出力Ｐ１１、Ｐ１２、Ｐ２１、Ｐ２２及び機械出力Ｐｍには次のような関係が成り立つ。
【００２３】
Ｐｍ＝Ｐ１１−Ｐ１２＝Ｐ２１＋Ｐ２２  ………  （２）
（２）式より
Ｐ１１−Ｐ２１＝Ｐ２２＋Ｐ１２＝Ｃｏｎｓｔ（一定）
Ｐ１２＝Ｃｏｎｓｔ−Ｐ２２  ………  （３）
【００２４】
つぎに、第２の誘導機４を正のすべりで運転した場合について図２を用いて説明する。図２は、図１と同様に構成された電力融通装置の構成図であり、第２の誘導機４を正のすべりで運転した場合、すなわち第２の誘導機４の２次巻線４２の出力Ｐ２２が第２の誘導機４の２次巻線４２から第２の系統２の方向に流れるように運転した場合を示している。なお、図２はこの点以外は図１と同一であり、この電力融通装置は融通電力、すなわちＰ１１−Ｐ２１が一定になるよう制御される。このとき、誘導機３、４のそれぞれの出力Ｐ１１、Ｐ１２、Ｐ２１、Ｐ２２及び機械出力Ｐｍには次のような関係がある。
【００２５】
Ｐｍ＝Ｐ１１−Ｐ１２＝Ｐ２１−Ｐ２２  ………  （４）
（４）式より
Ｐ１１−Ｐ２１＝Ｐ１２−Ｐ２２＝Ｃｏｎｓｔ（一定）
Ｐ１２＝Ｃｏｎｓｔ＋Ｐ２２  ………  （５）
【００２６】
（３）式及び（５）式にて、Ｃｏｎｓｔ．（一定）として示した値はＰ１１−Ｐ２１、すなわち第２の系統か２から第１の系統１への融通電力そのものであるので、これらの（３）式及び（５）式から、第２の誘導機４を負のすべりで運転すれば第１の誘導機３の２次巻線３２に流れる出力Ｐ１２を低減できることがわかる。
【００２７】
本実施の形態において、電力融通の方向が決定した場合、第１の誘導機３の１次巻線３１の出力Ｐ１１、第１の誘導機３の２次巻線３２の出力Ｐ１２、機械出力Ｐｍ及び第２の誘導機４の１次巻線４１の出力Ｐ２１について、それぞれの方向が一義的に定まる。このため、第２の誘導機４のすべりを正とするか負とするかは、第２の誘導機４の２次巻線４２への出力Ｐ２２の方向によって決定される。つまり、本実施の形態は、第２の誘導機４の２次巻線４２からの出力の方向を第２の誘導機４のすべりが負となるようにすることによって、第１の誘導機３の２次巻線３２の出力Ｐ１２を低減するようにしたものである。
【００２８】
ここで、本実施の形態では、第１の誘導機３、第２の誘導機４とも、その１次巻線が第１の系統１に接続され、２次巻線が第２の系統２に接続されている。このため、第１の誘導機３の２次巻線３２の出力Ｐ１２を低減するためには、第１の誘導機３の２次巻線３２の出力Ｐ１２と、第２の誘導機４の２次巻線４２の出力Ｐ２２が同じ方向とすればよい。このことはつまり、融通される電力を第１の誘導機３の２次巻線３２と第２の誘導機４の２次巻線４２とで分担することに相当し、これによって第１の誘導機３の２次巻線３２の出力Ｐ１２を低減できる。そして、このように運転するためには、上記のように第２の誘導機４をすべりが負となるように運転すればよい。
【００２９】
また、図１に対して電力融通の方向が逆転した場合を図３に示す。この場合、融通電力の向きが第１の系統１から第２の系統２となるため、第１の誘導機３の１次巻線３１の出力Ｐ１１は第１の系統１から１次巻線３１の方向に、第１の誘導機３の２次巻線３２の出力Ｐ１２は２次巻線３２から第２の系統２の方向に流れる。そして、機械出力Ｐｍは第１の誘導機３から第２の誘導機４に与えられ、第２の誘導機４の１次巻線４１の出力Ｐ２１は１次巻線４１から第１の系統１の方向に流れる。そしてこの場合であっても、第２の誘導機４を負のすべりで運転すると第２の誘導機４の２次巻線４２の出力Ｐ２２は２次巻線４２から第２の系統２の方向に流れ、第２の系統２へ融通される電力を第１の誘導機３の２次巻線３２と第２の誘導機４の２次巻線４２とで分担できる。これに対して、図３において第２の誘導機４を正のすべりで運転する場合、第２の誘導機４の２次巻線４２の出力Ｐ２２は第２の系統２から第２の誘導機４の２次巻線４２の方向に流れ、第１の誘導機３の２次巻線３２に流れる電力が大きくなってしまう。このため図１に対して電力融通の方向が逆になった場合であっても、第２の誘導機４を負のすべりで運転することによって第１の誘導機３の２次巻線３２に流れる出力Ｐ１２を低減することができる。
【００３０】
次に本発明の第２の実施の形態について図４乃至図６を参照して説明する。図４乃至図６は本発明の第２の実施の形態を説明する電力融通装置の構成図である。なお、図１乃至図３と同一の構成については同一の符号を付し説明を省略する。
【００３１】
第１の実施の形態においては、第１の誘導機３、第２の誘導機４とも、その１次巻線３１、４１が第１の系統１に接続され、２次巻線３２、４２が第２の系統２に接続されていたが、本実施の形態では、第１の誘導機３の２次巻線３２と第２の誘導機４の１次巻線４１とが第１の系統１に接続され、第１の誘導機３の１次巻線３１と第２の誘導機４の２次巻線４２が第２の系統２に接続されている点が異なる。
【００３２】
今、図４に示すように融通電力の方向が第１の系統１から第２の系統２に対しての場合、第１の誘導機３の１次巻線３１の出力Ｐ１１は１次巻線３１から第２の系統２の方向へ、第１の誘導機３の２次巻線３２の出力Ｐ１２は第１の系統１から２次巻線３２の方向へ流れる。このため、機械出力Ｐｍは第２の誘導機４から第１の誘導機３に与えられ、第２の誘導機４の１次巻線４１の出力Ｐ２１は第１の系統１から第２の誘導機４の１次巻線４１の方向へ流れる。
【００３３】
この時に、第２の誘導機４を正のすべりで運転する。この運転により、第２の誘導機４の２次巻線４２の出力Ｐ２２は第２の誘導機４の２次巻線４２から第２の系統２の方向へ流れる。そして、電力融通装置は融通電力、すなわちＰ１１＋Ｐ２２が一定になるよう制御される。
本実施の形態はこのように第２の誘導機４を正のすべりで運転するものであるが、この理由を以下に示す。
【００３４】
図４に示したように、第２の誘導機４を正のすべりで運転する場合、誘導機３、４のそれぞれの出力Ｐ１１、Ｐ１２、Ｐ２１、Ｐ２２及び機械出力Ｐｍには次のような関係がある。
【００３５】
Ｐｍ＝Ｐ１１−Ｐ１２＝Ｐ２１−Ｐ２２  ………  （６）
（６）式より
Ｐ１１＋Ｐ２２＝Ｐ２１＋Ｐ１２＝Ｃｏｎｓｔ（一定）
Ｐ１２＝Ｃｏｎｓｔ−Ｐ２１  ………  （７）
【００３６】
つぎに、第２の誘導機４を負のすべりで運転した場合について図５を用いて説明する。図５は、図４と同様に構成された電力融通装置の構成図であり、第２の誘導機４を負のすべりで運転した場合、すなわち第２の誘導機４の２次巻線４２の出力Ｐ２２が第２の系統２から第２の誘導機４の２次巻線４２の方向に流れるように運転した場合を示している。なお、図５はこの点以外は図４と同一であり、電力融通装置は融通電力、すなわちＰ１１−Ｐ２２が一定になるよう制御される。このとき、誘導機３、４のそれぞれの出力Ｐ１１、Ｐ１２、Ｐ２１、Ｐ２２及び機械出力Ｐｍには次の関係がある。
【００３７】
Ｐｍ＝Ｐ１１−Ｐ１２＝Ｐ２１＋Ｐ２２  ………  （８）
（８）式より
Ｐ１１−Ｐ２２＝Ｐ１２＋Ｐ２１＝Ｃｏｎｓｔ（一定）
Ｐ１２＝Ｃｏｎｓｔ−Ｐ２１  ………  （９）
【００３８】
（７）式と（９）式は同じであるが、（７）式のＰ１２は（９）式のＰ１２より小さい。なぜなら、図４と図５においてＰｍは同じトルクでなので、図４におけるＰ２１＝Ｐｍ＋Ｐ２２と図５におけるＰ２１＝Ｐｍ−Ｐ２２を比較した場合、前者の方が大きく、結果としてＰ１２は（７）式の方が小さくなる。したがって、第２の誘導機４を正のすべりで運転すれば第１の誘導機３の２次巻線３２に流れる出力Ｐ１２を低減できることがわかる。
【００３９】
本実施の形態において、電力融通の方向が決定した場合、第１の誘導機３の１次巻線３１の出力Ｐ１１、第１の誘導機３の２次巻線３２の出力Ｐ１２、機械出力Ｐｍ及び第２の誘導機４の１次巻線４１の出力Ｐ２１について、それぞれの方向が一義的に定まる。このため、第２の誘導機４のすべりを正とするか負とするかは、第２の誘導機４の２次巻線４２への出力Ｐ２２の方向によって決定される。つまり、本実施の形態は、第２の誘導機４の２次巻線４２からの出力の方向を第２の誘導機４のすべりが正となるようにすることによって、第１の誘導機３の２次巻線３２の出力Ｐ１２を低減するようにしたものである。
【００４０】
ここで、本実施の形態では、第１の系統１には第１の誘導機３の２次巻線３２と第２の誘導機４の１次巻線４１が接続されており、第２の系統２に第１の誘導機３の１次巻線３１と第２の誘導機４の２次巻線４２が接続されている。
【００４１】
そして、第１の誘導機３の２次巻線３２の出力Ｐ１２と第２の誘導機４の１次巻線４１の出力Ｐ２１はそれぞれ第１の系統１から２次巻線３２、および１次巻線４１の方向となっており、同方向に流れる。つまり、第１の系統１から第２の系統２への電力融通量は、第１の誘導機３の２次巻線３２の出力Ｐ１２と第２の誘導機４の１次巻線４１の出力Ｐ２１との和であるため、第１の誘導機３の２次巻線３２の出力Ｐ１２を低減するためには第２の誘導機４の２次巻線４２の出力Ｐ２２を２次巻線４２から第２の系統への方向で運転すればよく、第２の誘導機４をすべりが正となるように運転すればよい。
【００４２】
また、図４に対して電力融通の方向が逆転した場合を図６に示す。この場合、融通電力の向きが第２の系統２から第１の系統１となるため、第１の誘導機３の１次巻線３１の出力Ｐ１１は第２の系統２から１次巻線３１の方向に、第１の誘導機３の２次巻線３２の出力Ｐ１２は２次巻線３２から第１の系統１の方向に流れる。そして、機械出力Ｐｍは第１の誘導機３から第２の誘導機４に与えられ、第２の誘導機４の１次巻線４１の出力Ｐ２１は１次巻線４１から第１の系統１の方向に流れる。そしてこの場合であっても、第２の誘導機４を正のすべりで運転すると第２の誘導機４の１次巻線４２の出力Ｐ２２が第２の系統２から２次巻線４２の方向に流れるので、第２の誘導機４を介して第１の系統１へ融通される、第２の誘導機４の１次巻線４１からの第１の系統１への出力Ｐ２１を大きくすることが可能となり、第１の誘導機３の２次巻線３２の出力Ｐ１２を低減することができる。これに対して、図６において第２の誘導機４を負のすべりで運転する場合、第２の誘導機４の２次巻線４２の出力Ｐ２２は第２の誘導機４の２次巻線４２から第２の系統２の方向に流れ、第２の誘導機４の１次巻線４１からの第１の系統１への出力Ｐ２１が小さくなるため、結果として第１の誘導機３の２次巻線３２に流れる電力が大きくなってしまう。
【００４３】
このように、図４に対して電力融通の方向が逆になった場合であっても、第２の誘導機４を正のすべりで運転することによって第１の誘導機３の２次巻線３２に流れる出力Ｐ１２を低減することができる。
【００４４】
【発明の効果】
以上のように本発明によれば、第１の誘導機および第２の誘導機の各巻線と各電力系統との接続によって、第２の誘導機のすべりの正負をそれぞれ定めることにより第１の誘導機の２次巻線に流れる電力を低減することができ、電力融通装置の２次巻線に流れる電力が低減でき、電力融通装置のシステム容量の増加を可能とし、コレクタブラシの個数が少なくして保守コストの低減が可能となる。
【図面の簡単な説明】
【図１】本発明の第１の実施の形態による電力融通装置の運転方法を説明するためのシステム構成図。
【図２】図１に対し本発明を実施しない場合の電力融通装置の電力の流れを示すシステム構成図。
【図３】図１に対し融通電力の向きが逆転した場合の電力融通装置の電力の流れを示すシステム構成図。
【図４】本発明の第２の実施の形態による電力融通装置の運転方法を説明するためのシステム構成図。
【図５】図４に対し本発明を実施しない場合の電力融通装置の電力の流れを示すシステム構成図。
【図６】図４に対し融通電力の向きが逆転した場合の電力融通装置の電力の流れを示すシステム構成図。
【図７】従来の電力融通装置の運転方法を説明するためのシステム構成図。
【符号の説明】
１…第１の電力系統、２…第２の電力系統、３…第１の誘導機、４…第２の誘導機、５…変速装置、６…静止形電力変換装置、３１…第１の誘導機の１次巻線、３２…第１の誘導機の２次巻線、４１…第２の誘導機の１次巻線、４２…第２の誘導機の２次巻線、Ｐ１１、Ｐ１２、Ｐ２１、Ｐ２２…出力、ｆ１、ｆ２…系統周波数。
【図１】
2004173426.tif 000004
【図２】
2004173426.tif 000005
【図３】
2004173426.tif 000006
【図４】
2004173426.tif 000007
【図５】
2004173426.tif 000008
【図６】
2004173426.tif 000009
【図７】
2004173426.tif 000010